(57)【要約】【課題】原稿を読み取る際、所望のドロップアウトカラーを時間をかけずに排除する。【解決手段】ユーザがドロップアウトカラー（例えば、黄色）を指定すると、ＣＰＵ２２は、メモリ２３に予め記憶されたテーブルから、ドロップアウトカラーに対応する、３原色の点灯時間比率を読み出し、制御部２４に設定する。制御部２４は、その比率に基づいて光源を制御する。ドロップアウトカラーが黄色の場合、センサ走査時間Ｔ１内において、赤色光源１１ｒと緑色光源１１ｇは、５０％ずつの時間比率でＯＮ（点灯）される。これにより、ドロップアウトカラーである黄色が原稿１３に照射され、原稿１３を読み取る際、原稿１３上の黄色が排除される。【選択図】　　　図５
2004056158.tif 000002
【特許請求の範囲】
【請求項１】
３原色の光源を有し、原稿を読み取る画像読取装置において、
ドロップアウトカラーを入力する入力手段と、
前記入力手段により入力されたドロップアウトカラーに対応する前記３原色の光源の点灯時間比率または点灯時間比率を演算するプログラムを予め記憶している記憶手段と、
前記入力手段により入力されたドロップアウトカラーに対応する前記３原色の光源の点灯時間比率または点灯時間比率を演算するプログラムを前記記憶手段から読み出す読み出し手段と、
前記読み出し手段により読み出された、または前記プログラムによって演算された前記３原色の光源の点灯時間比率に基づいて、前記３原色の光源を制御する制御手段と、
前記３原色の光源からの光が照射された前記原稿の画像を読み取る読み取り手段と
を備えることを特徴とする画像読取装置。
【請求項２】
前記読み取り手段にドロップアウトさせたい色調と同等の原稿を読み取らせた場合に得られる画像データから３原色の割合を算出する算出手段をさらに備え、
前記入力手段は、前記算出手段の出力を入力する
ことを特徴とする請求項１に記載の画像読取装置。
【請求項３】
前記記憶手段は、前記３原色の光源の複数の点灯時間比率を、テーブルとして予め記憶する
ことを特徴とする請求項１または２に記載の画像読取装置。
【請求項４】
前記入力手段は、ユーザが入力した値を入力する
ことを特徴とする請求項１、２、または３に記載の画像読取装置。
【発明の詳細な説明】
【０００１】
【発明の属する技術分野】
本発明は、画像読取装置に関し、特に、カラー原稿等から処理時間をかけずに、所望のドロップアウトカラーを排除することができるようにした画像読取装置に関する。
【０００２】
【従来の技術】
従来、画像読取装置において、原稿から所望の色をドロップアウト（排除）させる手法として、例えば、以下の３つの手法が知られている。
【０００３】
第１の方法は、例えば、単一色の光源（蛍光管またはＬＥＤ（発光ダイオード））により原稿を照射する方法であり、光源の色をドロップアウトさせたい色と一致させることにより、原稿を、所望の色をドロップアウトさせて読み取ることができる。
【０００４】
一例として、原稿から赤色の線をドロップアウトさせて読み取る場合について、図１を参照して説明する。ここでは、ドロップアウトさせたい色が赤色であるので、光源１を赤色のＬＥＤで構成するものとし、原稿の地色は白色であるものとする。
【０００５】
原稿２を読み取る場合、光源１から出射された赤色の光は原稿２に照射される。光源１からの光を受けて、原稿２の地色（白色）と赤色の線は、赤色光を強く反射して明部を構成する。一方、赤色以外の色（例えば、黒色）で書かれた文字や線は、赤色光を吸収して暗部を構成する。このように、明暗部を作り出すことにより、赤色の線はあたかも明部に溶け込んだようになるので、赤色の線をドロップアウトさせた画像を得ることができる。原稿２で反射した光は、レンズ３により、受光センサとしてのＣＣＤ（Ｃｈａｒｇｅ　Ｃｏｕｐｌｅｄ　Ｄｅｖｉｃｅ）４の受光面に結像される。ＣＣＤ４は、受光量に対応した電気信号（画像データ）を出力する。
【０００６】
第２の方法は、白色の光源を利用する方法であり、例えば、図１の光源１と原稿２の間にドロップアウトさせたい色の光のみが通過するフィルタを挿入し、ドロップアウトさせたい色の光のみを原稿２に照射させることにより、原稿２から所望の色をドロップアウトさせることができる。
【０００７】
第３の方法は、撮像素子（ＣＣＤ）として、３原色（赤、緑、および青）の３つの撮像素子を用意し、それらで別々に原稿を読み取り、ユーザが不要な色をドロップアウトカラーとして後から指定する方法であり、この場合、読み取った画像データから画像処理によりドロップアウトカラーを削除することができる。第３の方法における原稿の読み取り方法には、さらに以下の２つの方法がある。
【０００８】
（１）光源（白色）から白色光を原稿に照射し、その反射光を、図２（Ａ）に示すような１画素毎にＲ（赤）、Ｇ（緑）、およびＢ（青）のフィルタを装着したカラーＣＣＤ４で読み取る。
【０００９】
（２）光源（ＬＥＤ）からＲ（赤）、Ｇ（緑）、およびＢ（青）の光を順番に原稿に照射し、その反射光を、図２（Ｂ）に示すような各ライン毎に、それぞれＲ（赤）、Ｇ（緑）、およびＢ（青）のフィルタを装着したカラーＣＣＤ４で読み取る。
【００１０】
ここで、上記（２）の方法により、カラーＣＣＤ４が原稿を読み取る（走査する）場合の光源（ＬＥＤ）の制御タイミングチャートを図３に示す。図３（Ａ）はＲ（赤）のＬＥＤの制御タイミングを、図３（Ｂ）はＧ（緑）のＬＥＤの制御タイミングを、図３（Ｃ）はＢ（青）のＬＥＤの制御タイミングを、それぞれ示している。図３において、Ｒ（赤）、Ｇ（緑）、およびＢ（青）の各ＬＥＤは、センサ（カラーＣＣＤ４）が走査する時間（以下、センサ走査時間Ｔ１と称する）ずつ、順番にＯＮされる。即ち、時刻ｔ１でＲ（赤）のＬＥＤがＯＮされ、時刻ｔ２でＲ（赤）のＬＥＤがＯＦＦされるとともに、Ｇ（緑）のＬＥＤがＯＮされる。時刻ｔ３でＧ（緑）のＬＥＤがＯＦＦされるとともに、Ｂ（青）のＬＥＤがＯＮされる。時刻ｔ４でＢ（青）のＬＥＤがＯＦＦされるとともに、Ｒ（赤）のＬＥＤが再びＯＮされる。尚、カラー１ライン時間Ｔ２は次の式（１）により表される。
カラー１ライン時間Ｔ２＝センサ走査時間Ｔ１×３・・・（１）
【００１１】
【発明が解決しようとする課題】
しかしながら、上記第１の方法は、ユーザがドロップアウトさせる色を変えたい場合、光源も新たにドロップアウトさせたい色の光源に取り替えなければならず、利便性に欠けるとともに、コストも増加するという課題があった。
【００１２】
また、上記第２の方法は、ユーザがドロップアウトさせる色を変えたい場合、上記第１の方法と同様に、フィルタも新たにドロップアウトさせたい色のみ通過するフィルタに取り替えなければならず、利便性に欠けるとともに、コストも増加するという課題があった。
【００１３】
さらに、上記第３の方法は、センサ（カラーＣＣＤ４）が原稿をカラー画像として読み取る（走査する）必要があるため、処理する画像データ量が多くなるとともに、処理時間が長くなるという課題があった。特に、上記（２）の方法は、センサ（カラーＣＣＤ４）により３回（Ｒ（赤）、Ｇ（緑）、およびＢ（青））走査する（図３）必要があるため、原稿を読み取るのに時間がかかるという課題があった。
【００１４】
従って、いずれの方法も、原稿から所望の色をドロップアウトさせる方法としてはあまり実用的ではなかった。
【００１５】
本発明は、このような状況に鑑みてなされたものであり、原稿を読み取る際、所望のドロップアウトカラーを時間をかけずに排除することができるとともに、コスト的に安価で、利便性のよい画像読取装置を提供することを目的とする。
【００１６】
【課題を解決するための手段】
請求項１に記載の画像読取装置は、３原色の光源を有し、原稿を読み取る画像読取装置において、ドロップアウトカラーを入力する入力手段と、入力手段により入力されたドロップアウトカラーに対応する３原色の光源の点灯時間比率または点灯時間比率を演算するプログラムを予め記憶している記憶手段と、入力手段により入力されたドロップアウトカラーに対応する３原色の光源の点灯時間比率または点灯時間比率を演算するプログラムを記憶手段から読み出す読み出し手段と、読み出し手段により読み出された、または前記プログラムによって演算された３原色の光源の点灯時間比率に基づいて、３原色の光源を制御する制御手段と、３原色の光源からの光が照射された原稿の画像を読み取る読み取り手段とを備えることを特徴とする。
【００１７】
請求項１に記載の画像読取装置においては、入力されたドロップアウトカラーに対応する３原色の光源の点灯時間比率または点灯時間比率を演算するプログラムが読み出され、読み出された、またはプログラムによって演算された３原色の光源の点灯時間比率に基づいて、３原色の光源が制御される。３原色の光源からの光が照射された原稿が読み取られる。
【００１８】
【発明の実施の形態】
以下に本発明の実施の形態を説明するが、特許請求の範囲に記載の発明の各手段と、以下の実施の形態との対応関係を明らかにするために、各手段の後の括弧内に、対応する実施の形態（但し一例）を付加して本発明の特徴を記述すると、次のようになる。但し、勿論この記載は、各手段を記載したものに限定することを意味するものではない。
【００１９】
即ち、請求項１に記載の画像読取装置は、３原色の光源を有し、原稿を読み取る画像読取装置において、ドロップアウトカラーを入力する入力手段（例えば、図５のドロップアウトカラー入力部２１）と、入力手段により入力されたドロップアウトカラーに対応する３原色の光源の点灯時間比率または点灯時間比率を演算するプログラムを予め記憶している記憶手段（例えば、図５のメモリ２３）と、入力手段により入力されたドロップアウトカラーに対応する３原色の光源の点灯時間比率または点灯時間比率を演算するプログラムを記憶手段から読み出す読み出し手段（例えば、図６のステップＳ２）と、読み出し手段により読み出された、またはプログラムによって演算された３原色の光源の点灯時間比率に基づいて、３原色の光源を制御する制御手段（例えば、図６のステップＳ４）と、３原色の光源からの光が照射された原稿の画像を読み取る読み取り手段（例えば、図５のイメージセンサ１５）とを備えることを特徴とする。
【００２０】
請求項２に記載の画像読取装置は、読み取り手段にドロップアウトさせたい色調と同等の原稿を読み取らせた場合に得られる画像データから３原色の割合を算出する算出手段（例えば、図９のステップＳ１２）をさらに備え、入力手段は、算出手段の出力を入力することを特徴とする。
【００２１】
図４（Ａ）は、本発明を適用した画像読取装置の左側側面図を示しており、図４（Ｂ）は、画像読取装置の外観斜視図を示している。
【００２２】
赤色光源１１ｒ、緑色光源１１ｇ、および青色光源１１ｂは、それぞれＬＥＤから構成されており、ドロップアウトカラーが指定されると、所定の時間比率で点灯するように制御される。点灯された赤色光源１１ｒ、緑色光源１１ｇ、または青色光源１１ｂからの光は、導光部材１２を介して原稿１３に照射される。原稿１３に照射された光は、原稿１３で反射し、セルフォックレンズアレイ１４を透過して、基板１６に取り付けられているセンサチップ１５の受光面に結像される。センサチップ１５はＣＣＤから構成されている。センサチップ１５の受光面に結像された光は、電気信号に変換され、画像データとして出力される。
【００２３】
図５は、図４の画像読取装置の内部の電気的構成例を示している。尚、図４と対応する部分には同一の符号を付してあり、その説明は適宜省略する。
【００２４】
ユーザがドロップアウトカラー入力部２１を操作して、所望のドロップアウトカラーを入力すると、ドロップアウトカラー入力部２１は、入力されたドロップアウトカラーに対応するドロップアウトカラー信号を出力し、ＣＰＵ（Ｃｅｎｔｒａｌ　Ｐｒｏｃｅｓｓｉｎｇ　Ｕｎｉｔ）２２に供給する。
【００２５】
ＣＰＵ２２は、メモリ２３に予め記憶されたテーブルから、供給されたドロップアウトカラー信号に対応する、センサ走査時間内の３原色（赤、緑、および青）の点灯時間比率を読み出し、読み出した３原色の点灯時間比率を制御部２４に設定する。尚、メモリ２３には、予め、それぞれのドロップアウトカラー信号に対応する、センサ走査時間内の３原色の点灯時間比率がテーブル化され、記憶されている。
【００２６】
制御部２４は、ＣＰＵ２２により設定されたセンサ走査時間内の３原色の点灯時間比率に基づいて、光源制御信号を出力し、赤色光源１１ｒ、緑色光源１１ｇ、および青色光源１１ｂの点灯時間を制御するとともに、センサ制御信号をイメージセンサ１５に供給する。
【００２７】
赤色光源１１ｒ、緑色光源１１ｇ、および青色光源１１ｂは、それぞれ制御部２４から供給される光源制御信号の点灯タイミングに基づいて点灯する。点灯された光源の光は導光部材１２を介して原稿１３に照射され、その反射光がセルフォックレンズアレイ１４を介してイメージセンサ１５により受光される。イメージセンサ１５は、受光した光を電気信号（画像データ）に変換し、その電気信号（アナログ信号）をＡ／Ｄ（Ａｎａｌｏｇ／Ｄｉｇｉｔａｌ）変換部２５に供給する。
【００２８】
Ａ／Ｄ変換部２５は、供給されたアナログ信号をデジタル信号に変換し、変換したデジタル信号（画像データ）を制御部２４に供給する。制御部２４は、供給された画像データを内蔵するＶＲＡＭ（Ｖｉｄｅｏ　Ｒａｎｄｏｍ　Ａｃｃｅｓｓ　Ｍｅｍｏｒｙ）３１に記憶させる。
【００２９】
次に、ユーザがドロップアウトカラーを指定して、原稿からその色を排除する場合の処理動作について、図６のフローチャートを参照して説明する。尚、ここでは、黄色をドロップアウトカラーにすることにする。
【００３０】
先ず、ステップＳ１において、ユーザがドロップアウトカラー入力部２１を操作して、所望のドロップアウトカラー（黄色）を入力すると、ドロップアウトカラー入力部２１は、入力されたドロップアウトカラー（黄色）に対応するドロップアウトカラー信号を出力し、ＣＰＵ２２に供給する。
【００３１】
ステップＳ２において、ＣＰＵ２２は、メモリ２３に予め記憶されているテーブルから、供給されたドロップアウトカラー信号に対応する、センサ走査時間内の３原色の点灯時間比率を読み出す。
【００３２】
ステップＳ３において、ＣＰＵ２２は、メモリ２３に記憶されているテーブルから読み出した３原色の点灯時間比率を制御部２４に設定する。この例の場合、黄色がドロップアウトカラーであるので、図７に示すような点灯タイミングで、赤色光源１１ｒ、緑色光源１１ｇ、および青色光源１１ｂの点灯時間比率が設定される。図７（Ａ）は赤色光源１１ｒの点灯タイミングを、図７（Ｂ）は緑色光源１１ｇの点灯タイミングを、図７（Ｃ）は青色光源１１ｂの点灯タイミングを、それぞれ表している。時刻ｔ１乃至時刻ｔ３の時間がセンサ走査時間（Ｔ１）である。時刻ｔ１で赤色光源１１ｒがＯＮ（点灯）され、時刻ｔ２で赤色光源１１ｒがＯＦＦ（消灯）されるとともに、緑色光源１１ｇがＯＮ（点灯）される。時刻ｔ３で赤色光源１１ｒが再びＯＮ（点灯）されるとともに、緑色光源１１ｇがＯＦＦ（消灯）される。この間、青色光源１１ｂはＯＦＦのままである。即ち、センサ走査時間Ｔ１内において、５０％ずつの時間比率で、赤色光源１１ｒと緑色光源１１ｇがＯＮ（点灯）される。これにより、ドロップアウトカラーは黄色となる。
【００３３】
また、図８に示すように、赤色光源１１ｒ、緑色光源１１ｇ、および青色光源１１ｂの点灯タイミングを、図７に示す場合より細かく制御することにより、画像の境界においても検出精度を向上させることができる。図８においては、赤色光源１１ｒと緑色光源１１ｇの点灯タイミングを、図７に示す場合より細かく制御しているが、センサ走査時間Ｔ１内における、赤色光源１１ｒと緑色光源１１ｇの点灯時間比率は５０％ずつで、図７の場合と変わらない。
【００３４】
ステップＳ４において、制御部２４は、ＣＰＵ２２により設定されたセンサ走査時間Ｔ１内の３原色の点灯タイミング（図７または図８）に基づいて、赤色光源１１ｒ、緑色光源１１ｇ、および青色光源１１ｂを制御するとともに、センサ制御信号をイメージセンサ１５に供給する。図７または図８の点灯タイミングで点灯された赤色光源１１ｒおよび緑色光源１１ｇの光は、原稿１３に照射される。このとき、原稿１３上の地色（白色）と黄色は、赤色光源１１ｒおよび緑色光源１１ｇの光を受けて強く反射し、明部を構成する。一方、黄色以外の色（例えば、黒色）で書かれた文字等は、赤色光源１１ｒおよび緑色光源１１ｇの光を吸収して暗部を構成する。このように明暗部を作り出すことにより、黄色の部分はあたかも明部に溶け込んだようになるので、ドロップアウトさせることができる。
【００３５】
原稿１３で反射した光は、イメージセンサ１５により受光される。ステップＳ５において、イメージセンサ１５は、受光した光を電気信号（画像データ）に変換し、その電気信号（アナログ信号）をＡ／Ｄ（Ａｎａｌｏｇ／Ｄｉｇｉｔａｌ）変換部２５に供給する。
【００３６】
ステップＳ６において、Ａ／Ｄ変換部２５は、供給されたアナログ信号をデジタル信号に変換し、変換したデジタル信号（画像データ）を制御部２４に供給する。
【００３７】
ステップＳ７において、制御部２４は、供給された画像データを内蔵するＶＲＡＭ３１に記憶させ、処理動作は終了される。
【００３８】
次に、ドロップアウトさせたい色調と同等の原稿を読み取らせることにより、原稿からその色を排除する場合の処理動作について、図９のフローチャートを参照して説明する。
【００３９】
先ず、ステップＳ１１において、ユーザは、ドロップアウトさせたい色調と同等の原稿をイメージセンサ１５に読み取らせる。イメージセンサ１５は、受光した光を電気信号（画像データ）に変換し、その電気信号（アナログ信号）をＡ／Ｄ（Ａｎａｌｏｇ／Ｄｉｇｉｔａｌ）変換部２５に供給する。Ａ／Ｄ変換部２５は、供給されたアナログ信号をデジタル信号に変換し、変換したデジタル信号（画像データ）を制御部２４に供給する。制御部２４は、供給された画像データをＶＲＡＭ３１に記憶させる。
【００４０】
ステップＳ１２において、ＣＰＵ２２は、ＶＲＡＭ３１に記憶されている画像データを読み取り、その色調をスペクトル分析して３原色の割合（バランス）を算出する。
【００４１】
ステップＳ１３において、ＣＰＵ２２は、算出した３原色の割合（点灯時間比率）を制御部２４に設定する。制御部２４は、ＣＰＵ２２により設定されたセンサ走査時間Ｔ１内の３原色の点灯タイミングに基づいて、赤色光源１１ｒ、緑色光源１１ｇ、および青色光源１１ｂを制御するとともに、センサ制御信号をイメージセンサ１５に供給する。
【００４２】
ステップＳ１４において、イメージセンサ１５は原稿１３の読み取りを行う。即ち、イメージセンサ１５は、赤色光源１１ｒ、緑色光源１１ｇ、および青色光源１１ｂからの光で照射された原稿１３の画像を受光する。イメージセンサ１５は、受光した光を電気信号（画像データ）に変換し、その電気信号（アナログ信号）をＡ／Ｄ変換部２５に供給する。
【００４３】
ステップＳ１５において、Ａ／Ｄ変換部２５は、供給されたアナログ信号をデジタル信号に変換し、変換したデジタル信号（画像データ）を制御部２４に供給する。
【００４４】
ステップＳ１６において、制御部２４は、供給された画像データを内蔵するＶＲＡＭ３１に記憶させ、処理動作は終了される。
【００４５】
図１０は、図４の画像読取装置の他の電気的構成例を示している。この構成例では、ＣＰＵ２２が制御部２４からの同期信号を受けて、赤色光源１１ｒ、緑色光源１１ｇ、および青色光源１１ｂの点灯タイミングを直接制御するようになされている。また、ＣＰＵ２２、制御部２４、およびメモリ２３は、バス４１で相互に接続されている。その他の構成は図５における場合と同様である。
【００４６】
尚、本実施の形態において、赤色光源１１ｒ、緑色光源１１ｇ、および青色光源１１ｂを、それぞれ赤、緑、および青のＬＥＤで構成するようにしたが、それ以外の光源、例えば、赤、緑、および青のレーザで構成するようにしてもよい。
【００４７】
【発明の効果】
以上の如く、請求項１に記載の画像読取装置によれば、ドロップアウトカラーに対応する３原色の光源の点灯時間比率に基づいて、３原色の光源を制御するようにしたので、センサの１走査時間内で読み取りを終了することが可能となる。従って、原稿を読み取る際、所望のドロップアウトカラーを時間をかけずに排除することが可能となる。
【図面の簡単な説明】
【図１】従来の画像読取装置の光学系の概略構成を示す斜視図である。
【図２】図１のＣＣＤ４にフィルタを装着した場合の構成例を示す図である。
【図３】図２（Ｂ）のＣＣＤ４で原稿を走査する場合の光源１の制御タイミングを示すタイミングチャートである。
【図４】本発明を適用した画像読取装置の構成を示す斜視図である。
【図５】図４の画像読取装置の内部の電気的構成例を示す図である。
【図６】図５の画像読取装置の処理動作を説明するためのフローチャートである。
【図７】図５の画像読取装置の光源の制御タイミングを示すタイミングチャートである。
【図８】図５の画像読取装置の光源の他の制御タイミングを示すタイミングチャートである。
【図９】図５の画像読取装置の他の処理動作を説明するためのフローチャートである。
【図１０】図４の画像読取装置の他の電気的構成例を示す図である。
【符号の説明】
１　光源
２　原稿
３　レンズ
４　ＣＣＤ
１１　光源
１１ｒ　赤色光源
１１ｇ　緑色光源
１１ｂ　青色光源
１２　導光部材
１３　原稿
１４　セルフォックレンズアレイ
１５　センサチップ
１６　基板
２１　ドロップアウトカラー入力部
２２　ＣＰＵ
２３　メモリ
２４　制御部
２５　Ａ／Ｄ変換部
３１　ＶＲＡＭ
４１　バス
【図１】
2004056158.tif 000003
【図２】
2004056158.tif 000004
【図３】
2004056158.tif 000005
【図４】
2004056158.tif 000006
【図５】
2004056158.tif 000007
【図６】
2004056158.tif 000008
【図７】
2004056158.tif 000009
【図８】
2004056158.tif 000010
【図９】
2004056158.tif 000011
【図１０】
2004056158.tif 000012